(57)【要約】【課題】オーディオ装置の音再生部に対するメンテナンスの要否を遠隔で管理する技術を提供する。【解決手段】オーディオ装置は、音信号を再生する音再生部１１と、ネットワークへの接続を可能にするネットワーク通信部１５Ｂと、記憶部１３と、配信処理部１２２Ｂと、を備える。そして、記憶部１３は、音再生部１１に対するメンテナンスの要否を判断するための、音再生部１１の使用に関する更新情報Ｓｐを記憶する。配信処理部１２２Ｂは、ネットワーク通信部１５Ｂを介して更新情報Ｓｐを外部に配信する。【選択図】図１
2020022131.tif 000002
【特許請求の範囲】
【請求項１】
音信号を再生する音再生部と、
ネットワークへの接続を可能にするネットワーク通信部と、
前記音再生部に対するメンテナンスの要否を判断するための、前記音再生部の使用に関する更新情報を記憶する記憶部と、
前記ネットワーク通信部を介して前記更新情報を外部に配信する配信処理部と、
を備える、オーディオ装置。
【請求項２】
前記音再生部は、レコード盤再生部であり、レコード盤を回転させるテーブルと、前記レコード盤から音信号を読み取るレコード針と、を有し、
前記更新情報は、前記レコード針の交換の要否を判断するための、前記テーブルの回転に関する回転情報である、請求項１に記載のオーディオ装置。
【請求項３】
前記回転情報は、前記テーブルの回転時間を積算した回転積算時間、又は前記テーブルの回転数を積算した回転積算数である、請求項２に記載のオーディオ装置。
【請求項４】
前記回転情報を前記記憶部に記憶する記憶処理部を更に備え、
前記記憶処理部は、前記記憶部に記憶した前記回転情報を、この回転情報に前記テーブルの新たな回転時間又は回転数を積算することで更新する、請求項３に記載のオーディオ装置。
【請求項５】
前記記憶処理部は、前記記憶部に記憶した前記回転情報を更新する場合、前記新たな回転時間又は回転数を、前記テーブルの回転スピード、前記レコード盤に対する前記レコード針の圧力、及び前記レコード針の硬さの少なくとも何れか１つに関する情報を用いて補正してから前記回転情報に積算する、請求項４に記載のオーディオ装置。
【請求項６】
メンテナンスが実行された場合に、前記記憶部に記憶されている前記更新情報をリセットして初期状態に戻すリセット処理部を更に備える、請求項１〜５の何れかに記載のオーディオ装置。
【請求項７】
オーディオ装置の音再生部に対するメンテナンスの要否を判断するための、前記音再生部の使用に関する更新情報を記憶部に記憶し、
ネットワークを通じて前記更新情報を外部に配信する、オーディオ装置の制御方法。
【請求項８】
前記音再生部は、レコード盤再生部であり、レコード盤を回転させるテーブルと、前記レコード盤から音信号を読み取るレコード針と、を有し、
前記更新情報は、前記レコード針の交換の要否を判断するための、前記テーブルの回転に関する回転情報である、請求項７に記載のオーディオ装置の制御方法。
【請求項９】
前記回転情報は、前記テーブルの回転時間を積算した回転積算時間、又は前記テーブルの回転数を積算した回転積算数である、請求項８に記載のオーディオ装置の制御方法。
【請求項１０】
前記更新情報として前記記憶部に記憶した前記回転情報を、この回転情報に前記テーブルの新たな回転時間又は回転数を積算することで更新する、請求項９に記載のオーディオ装置の制御方法。
【請求項１１】
前記記憶部に記憶した前記回転情報を更新する場合、前記新たな回転時間又は回転数を、前記テーブルの回転スピード、前記レコード盤に対する前記レコード針の圧力、及び前記レコード針の硬さの少なくとも何れか１つに関する情報を用いて補正してから前記回転情報に積算する、請求項１０に記載のオーディオ装置の制御方法。
【請求項１２】
メンテナンスが実行された場合に、前記記憶部に記憶されている前記更新情報をリセットして初期状態に戻す、請求項７〜１１の何れかに記載のオーディオ装置の制御方法。
【請求項１３】
オーディオ装置の音再生部に対するメンテナンスの要否を判断するための、前記音再生部の使用に関する更新情報を受信する機能と、
受信した前記更新情報を表示部に表示する機能と、
をコンピュータに実現させる、プログラム。
【請求項１４】
前記更新情報をリセットするためのリセット操作を受け付ける機能と、
前記リセット操作を受け付けた場合に、前記更新情報のリセットを指令するリセット信号を出力する機能と、
をコンピュータに更に実現させる、請求項１３に記載のプログラム。
【発明の詳細な説明】
【技術分野】
【０００１】
本発明は、オーディオ装置に対するメンテナンスの要否を管理する技術に関する。
【背景技術】
【０００２】
オーディオ装置の一例であるレコード盤再生装置の音再生部には、レコード盤を回転させるテーブルと、レコード盤から音信号を読み取るレコード針と、が含まれている。そして、レコード針は消耗品であり、従来のレコード盤再生装置では、説明書などに、レコード針を交換する際の目安として使用時間が記載されているに過ぎなかった。このため、ユーザ自身が、使用時間をカウントしてレコード針の交換時期を管理しなければならなかった。
【先行技術文献】
【特許文献】
【０００３】
【特許文献１】実開昭６１−０４０７０１号公報
【発明の概要】
【発明が解決しようとする課題】
【０００４】
しかし、従来のレコード盤再生装置では、ユーザが使用時間を継続的にカウントして積算していかなければならず、管理が煩わしく、又、正確な積算時間を得ることが難しかった。
【０００５】
なお、従来のレコード盤再生装置（アナログ）には、レコード盤にレコード針が置かれた時間をカウントして積算時間を記憶し、且つ積算時間を本体の表示部に表示する機能を備えたものが存在する（例えば、特許文献１参照）。しかし、この技術では、ユーザは、レコード盤再生装置の設置場所まで行かなければ、積算時間を確認できない。又、従来のレコード盤再生装置は、アナログ装置であるがゆえに、その設置場所の近くで再生音を聞くことをユーザに強いる。
【０００６】
近年、レコード盤再生装置を好んで使用するユーザが増えつつある一方で、従来のレコード盤再生装置は、ネットワークを通じて遠隔操作や再生音の配信を行う近年の技術（デジタル技術）に即したものにはなっていない。
【０００７】
そこで本発明の目的は、オーディオ装置の音再生部に対するメンテナンスの要否を遠隔で管理する技術を提供することである。
【課題を解決するための手段】
【０００８】
本発明に係るオーディオ装置は、音信号を再生する音再生部と、ネットワークへの接続を可能にするネットワーク通信部と、記憶部と、配信処理部と、を備える。そして、記憶部は、音再生部に対するメンテナンスの要否を判断するための、音再生部の使用に関する更新情報を記憶する。配信処理部は、ネットワーク通信部を介して更新情報を外部に配信する。
【発明の効果】
【０００９】
本発明によれば、オーディオ装置の音再生部に対するメンテナンスの要否を遠隔で管理できる。
【図面の簡単な説明】
【００１０】
【図１】本実施形態に係るレコード盤再生装置及びネットワーク環境を示した概念図である。
【図２】レコード盤再生装置の正面図である。
【図３】レコード盤再生装置で実行される制御処理の１つである管理処理のうちの記憶処理及び配信処理の流れを示したフローチャートである。
【図４】管理処理のうちのリセット処理の流れを示したフローチャートである。
【図５】外部端末で実行される制御処理のうちの表示処理の流れを示したフローチャートである。
【図６】外部端末で実行される制御処理のうちの出力処理の流れを示したフローチャートである。
【発明を実施するための形態】
【００１１】
本発明をレコード盤再生装置に適用した実施形態について説明する。図１は、本実施形態に係るレコード盤再生装置及びネットワーク環境を示した概念図である。図１に示される様に、本実施形態のレコード盤再生装置１は、ネットワークへの接続が可能であり、ネットワークを通じて外部端末２（ＰＣやスマートフォンなど）と接続することが可能である。以下、具体的に説明する。
【００１２】
［１］レコード盤再生装置
［１−１］レコード盤再生装置の構成
図２は、レコード盤再生装置１の正面図である。図１及び図２に示される様に、レコード盤再生装置１は、音信号を再生する音再生部１１と、制御部１２と、記憶部１３と、検出部１４と、入出力部１５Ａと、ネットワーク通信部１５Ｂと、を備える。
【００１３】
＜音再生部１１＞
音再生部１１は、レコード盤再生部であり、レコード盤を回転させるレコード盤回転部１１１と、レコード盤から音信号を読み取るカートリッジ１１２と、レコード盤上へのカートリッジ１１２の移動を可能にするアーム１１３と、バランスウェイト１１４と、を含む。
【００１４】
レコード盤回転部１１１は、レコード盤を載せるテーブル１１１Ａと、当該テーブル１１１Ａを回転させる駆動部１１１Ｂと、を含む。テーブル１１１Ａは、レコード盤再生装置１の本体１０に回転可能に設けられている。駆動部１１１Ｂは、例えばモータであり、自身の回転をテーブル１１１Ａに伝えることにより、テーブル１１１Ａを回転させる。駆動部１１１Ｂの回転をテーブル１１１Ａに伝える方式には、駆動部１１１Ｂの回転を直接的に伝える方式と、ベルトなどを介して間接的に伝える方式とが存在する。又、駆動部１１１Ｂは、制御部１２からの指令やスイッチの切替えに応じてテーブル１１１Ａの回転スピードを切り替えることができる。
【００１５】
カートリッジ１１２は、交換可能なレコード針１１２Ａを含む。レコード針１１２Ａは、カンチレバー（不図示）の先端部に設けられており、レコード盤に刻まれた音溝の内面形状に応じた振動が可能である。そして、カートリッジ１１２は、レコード針１１２Ａの振動を電気信号に変換して出力する。レコード盤再生装置１は、カートリッジ１１２から出力された電気信号を、アンプ（不図示）で増幅して入出力部１５Ａから出力することができる。入出力部１５Ａから出力された電気信号は、オーディオ用アンプ（不図示）を経由してスピーカで再生される。又、本実施形態のレコード盤再生装置１は、カートリッジ１１２から出力された電気信号を、デジタル信号に変換してネットワーク通信部１５Ｂから外部へ配信することができる。
【００１６】
アーム１１３は、先端部を水平方向及び鉛直方向の何れにも移動させることが可能となる様に、本体１０に支持されている。又、アーム１１３の先端部には、ヘッドシェルなどの保持部材を介してカートリッジ１１２が取り付けられている。そして、アーム１１３の先端部を移動させることにより、レコード針１１２Ａがレコード盤の盤面に置かれる。
【００１７】
バランスウェイト１１４は、アーム１１３の基端部に設けられている。具体的には、バランスウェイト１１４は、アーム１１３の支持位置（支点）に対して先端部とは反対側の位置に、位置調整可能に設けられている。そして、バランスウェイト１１４の位置調整により、レコード盤に対するレコード針１１２Ａの圧力（針圧）が調整される。
【００１８】
＜制御部１２＞
制御部１２は、例えばＣＰＵ（Central  Processing  Unit）で構成されており、レコード盤再生装置１が備える様々な動作部（音再生部１１、記憶部１３、検出部１４、入出力部１５Ａ、ネットワーク通信部１５Ｂを含む）を制御する。具体的には、制御部１２は、記憶部１３に記憶されているプログラムを読み出して実行することにより、プログラムに従って各動作部を制御する処理部として機能する。尚、上記プログラムは、レコード盤再生装置１内の記憶部１３に記憶される場合に限らず、外部の記憶媒体（フラッシュメモリなど）に読取り可能な状態で記憶されてもよい。
【００１９】
本実施形態において、プログラムに従って制御部１２で実現される処理部には、図１に示される様に、音再生処理部１２１と管理処理部１２２とが含まれる。ここで、音再生処理部１２１は、音再生部１１による音信号の再生を制御する。管理処理部１２２は、音再生部１１に対するメンテナンスの要否を遠隔で管理することを可能にする（管理処理）。尚、この管理処理の詳細については後述する。
【００２０】
＜記憶部１３＞
記憶部１３は、例えばフラッシュメモリなどで構成されており、各種情報を記憶する。又、記憶部１３は、上述したプログラムだけでなく、音再生部１１に対するメンテナンスの要否を判断するための、音再生部１１の使用に関する更新情報Ｓｐを記憶する。本実施形態では、更新情報Ｓｐは、レコード針１１２Ａの交換の要否を判断するための、テーブル１１１Ａの回転に関する回転情報であり、具体的にはテーブル１１１Ａの回転積算時間Ｔｐである。ここで、回転積算時間Ｔｐは、検出部１４が検出したテーブル１１１Ａの回転時間ｔを積算したものである。
【００２１】
尚、更新情報Ｓｐである回転情報は、テーブル１１１Ａの回転積算数Ｆｐであってもよい。ここで、回転積算数Ｆｐは、検出部１４が検出したテーブル１１１Ａの回転数ｆを積算したものである。又、回転積算時間Ｔｐ又は回転積算数Ｆｐは、レコード盤の盤面にレコード針１１２Ａが置かれているときのテーブル１１１Ａの回転時間ｔ又は回転数ｆを積算したものであってもよい。
【００２２】
本実施形態では、記憶部１３は、レコード針１１２Ａの消耗スピードを決めるファクタに関する情報を更に記憶する。ここで、消耗スピードを決めるファクタには、テーブル１１１Ａの回転スピード、針圧（又は、バランスウェイト１１４の位置）、レコード針１１２Ａの硬さなどが含まれる。そして、これらのファクタに関する情報は、ユーザによって外部端末２で入力され、その後、ネットワークを通じて外部端末２からレコード盤再生装置１に入力される。
【００２３】
尚、上記ファクタに関する情報は、外部端末２から入力される場合に限らず、例えば、レコード盤再生装置１専用のリモートコントローラやレコード盤再生装置１の本体１０に設けられた操作部（不図示）などから入力されてもよい。又、記憶部１３には、ユーザが入力したものに限らず、切替えスイッチの位置に応じた回転スピードが自動的に記憶されてもよいし、自動検出されたバランスウェイト１１４の位置又はその位置に対応した針圧が記憶されてもよい。
【００２４】
＜検出部１４＞
検出部１４は、更新情報Ｓｐを更新するための情報を検出する。本実施形態では、検出部１４は、テーブル１１１Ａの回転時間ｔを検出する。具体的には、検出部１４は、駆動部１１１Ｂがテーブル１１１Ａを回転させている時間をカウントすることにより、テーブル１１１Ａの回転時間ｔを検出する。
【００２５】
更新情報Ｓｐとして回転積算数Ｆｐが記憶部１３に記憶される場合には、検出部１４は、回転積算数Ｆｐを更新するための情報としてテーブル１１１Ａの回転数ｆを検出してもよい。この場合、検出部１４は、例えばパルスエンコーダであり、駆動部１１１Ｂであるモータの回転数をカウントすることにより、テーブル１１１Ａの回転数ｆを検出する。そして、モータとテーブル１１１Ａとの回転比率が１でない場合には、検出部１４は、回転比率を考慮してテーブル１１１Ａの回転数ｆを検出してもよい。
【００２６】
尚、検出部１４は、レコード盤の盤面にレコード針１１２Ａが置かれた状態を更に検出することにより、盤面にレコード針１１２Ａが置かれているときのテーブル１１１Ａの回転時間ｔ又は回転数ｆを検出してもよい。又、検出部１４は、パルスエンコーダなどの検出専用のハードウェアで構成される場合に限らず、制御部１２においてソフトウェアで機能的に構成されてもよい。
【００２７】
＜入出力部１５Ａ＞
入出力部１５Ａは、レコード盤再生装置１に対する各種信号の入出力を行うためのインタフェースである。本実施形態では、入出力部１５Ａは、スピーカとの接続に用いられるＩ／Ｏや、レコード盤再生装置１専用のリモートコントローラとの通信に用いられるＩ／Ｏなどを含む。
【００２８】
＜ネットワーク通信部１５Ｂ＞
ネットワーク通信部１５Ｂは、ネットワークへのレコード盤再生装置１の有線又は無線での接続に用いられるインタフェースである。そして、ネットワーク通信部１５Ｂには、スピーカなどの外部機器や、ＰＣやスマートフォンなどの外部端末２が、ネットワークを通じて接続される。一例として、ネットワークは、ローカルエリアネットワーク（ＬＡＮ）である。尚、ネットワークには、Bluetooth（登録商標）などの近距離通信で接続される環境や、インターネットを介して接続される環境などが含まれてもよい。
【００２９】
この様に、本実施形態のレコード盤再生装置１は、ネットワークへの接続が可能であり、ネットワークを通じて外部機器（スピーカなど）や外部端末２（ＰＣやスマートフォンなど）と接続することが可能である。よって、レコード盤再生装置１は、ネットワークを通じてレコード盤の再生音を配信できる。又、外部端末２を、レコード盤再生装置１のリモートコントローラを兼ねたネットワークコントローラとして機能させることでできる。具体的には、再生音の配信といったソフトウェア的な動作だけでなく、機械的な動作（レコード盤の盤面にレコード針１１２Ａを置く動作を含む）も含めて、ネットワークプレーヤとしてのレコード盤再生装置１の一連の動作を、外部端末２で制御することが可能になる。即ち、アナログ装置に回帰する傾向にある近年においてアナログ装置とデジタル技術とを融合させることが、レコード盤再生装置１で実現される。
【００３０】
［１−２］レコード盤再生装置で実行される制御処理
次に、レコード盤再生装置１で実行される制御処理の１つである管理処理について説明する。以下では、検出部１４がテーブル１１１Ａの回転時間ｔを検出し、記憶部１３にテーブル１１１Ａの回転積算時間Ｔｐが更新情報Ｓｐとして記憶される場合について説明する。尚、検出部１４がテーブル１１１Ａの回転数ｆを検出し、記憶部１３にテーブル１１１Ａの回転積算数Ｆｐが記憶される場合については、以下の説明において「回転時間」及び「回転積算時間」をそれぞれ「回転数」及び「回転積算数」に適宜読み替えることで理解できる。
【００３１】
先ず、制御部１２で実現される管理処理部１２２の構成について説明する。図１に示される様に、管理処理部１２２は、記憶処理部１２２Ａと、配信処理部１２２Ｂと、リセット処理部１２２Ｃと、を含む。記憶処理部１２２Ａは、更新情報Ｓｐを記憶部１３に記憶する（記憶処理）。配信処理部１２２Ｂは、ネットワーク通信部１５Ｂを介して更新情報Ｓｐを外部に配信する（配信処理）。リセット処理部１２２Ｃは、記憶部１３に記憶されている更新情報Ｓｐをリセットして初期状態に戻す（リセット処理）。
【００３２】
＜記憶処理及び配信処理＞
図３は、管理処理のうちの記憶処理及び配信処理の流れを示したフローチャートである。管理処理は、レコード盤再生装置１の電源がオンされた場合に開始される。管理処理が開始されると、先ず、制御部１２は、更新情報Ｓｐである回転積算時間Ｔｐを記憶部１３から読み出す（図３のステップＳ１１）。そして、配信処理部１２２Ｂが、ステップＳ１１で読み出した回転積算時間Ｔｐを、ネットワーク通信部１５Ｂを介して外部に配信する（図３のステップＳ１２）。
【００３３】
ステップＳ１１の後、記憶処理部１２２Ａが、テーブル１１１Ａが回転しているか否かを判断する（図３のステップＳ１３）。そして、記憶処理部１２２Ａは、「回転している（Ｙｅｓ）」と判断できるまでステップＳ１３を繰り返し実行する。
【００３４】
その後、記憶処理部１２２Ａは、ステップＳ１３にて「回転している（Ｙｅｓ）」と判断した場合、回転中であるテーブル１１１Ａの回転時間ｔを検出部１４から取得する（図３のステップＳ１４）。又、記憶処理部１２２Ａは、レコード針１１２Ａの消耗スピードを決めるファクタに関する情報を記憶部１３から読み出す。具体的には、記憶処理部１２２Ａは、テーブル１１１Ａの回転スピード、針圧（又は、バランスウェイト１１４の位置）、レコード針１１２Ａの硬さの少なくとも何れか１つに関する情報を記憶部１３から読み出す。そして、記憶処理部１２２Ａは、検出部１４から取得した回転時間ｔを、記憶部１３から読み出した情報を用いて補正することにより、補正後の回転時間ｔｃを算出する（図３のステップＳ１５）。
【００３５】
ステップＳ１５の後、記憶処理部１２２Ａは、ステップＳ１１で読み出した回転積算時間Ｔｐに補正後の回転時間ｔｃを積算することにより、新たな回転積算時間Ｔｐを算出する（Ｔｐ＝Ｔｐ＋ｔｃ。図３のステップＳ１６）。そして、記憶処理部１２２Ａは、ステップＳ１６で算出した新たな回転積算時間Ｔｐを記憶部１３に記憶する（図３のステップＳ１７）。この様にして、記憶処理部１２２Ａは、記憶部１３に記憶した回転積算時間Ｔｐを、この回転積算時間Ｔｐに補正後の回転時間ｔｃを積算することで更新する。
【００３６】
ステップＳ１７の後、配信処理部１２２Ｂが、ステップＳ１６で算出された新たな回転積算時間Ｔｐを、ネットワーク通信部１５Ｂを介して外部に配信する（図３のステップＳ１８）。その後、制御部１２は、レコード盤再生装置１の電源がオフされるまで、ステップＳ１３からの処理を繰り返し実行する。尚、ステップＳ１８の配信は、ステップＳ１７に並行して実行されてもよいし、ステップＳ１７の前に実行されてもよい。
【００３７】
ステップＳ１２及びＳ１８で外部に配信された回転積算時間Ｔｐは、後述する様に、その回転積算時間Ｔｐを取得した外部端末２の表示部に表示される。尚、回転積算時間Ｔｐは、外部に配信されて外部端末２に表示されるだけでなく、レコード盤再生装置１の本体１０やレコード盤再生装置１専用のリモートコントローラなどに設けられた表示部（不図示）に表示されてもよい。
【００３８】
上記管理処理によれば、ネットワークを通じて、スマートフォン等の外部端末２に回転積算時間Ｔｐ（更新情報Ｓｐ）を配信できる。又、配信される回転積算時間Ｔｐは、音再生部１１の使用に関する過去の情報ではなく、更新（逐次更新）された新しい情報である。又、レコード盤再生装置１は、ネットワークに接続されていない場合（一時的に切断された場合も含む）でも、回転積算時間Ｔｐを更新して記憶部１３に記憶できる。よって、ネットワークに接続されていない期間があったとしても、その影響が回転積算時間Ｔｐに及ぶことがない。
【００３９】
よって、ネットワークを通じてレコード盤再生装置１に外部端末２が接続された場合（再接続やペアリングが行われた場合を含む）に、どの外部端末２に対しても、レコード盤再生装置１に接続された時点での最新の回転積算時間Ｔｐを配信できる。そして、外部端末２の表示部に回転積算時間Ｔｐが表示されることにより、ユーザは、その最新の回転積算時間Ｔｐに基づいて、音再生部１１に対するメンテナンス（本実施形態では、レコード針１１２Ａの交換）の要否を判断できる。即ち、ユーザは、ネットワークを通じて、音再生部１１に対するメンテナンスの要否を判断するための情報（回転積算時間Ｔｐ）を取得し、その情報に基づいてメンテナンスの要否を判断できる。
【００４０】
この様に、本実施形態のレコード盤再生装置１によれば、音再生部１１に対するメンテナンスの要否を遠隔で管理できる。
【００４１】
又、本実施形態では、更新情報Ｓｐとして、テーブル１１１Ａの回転積算時間Ｔｐが用いられている。ここで、レコード針１１２Ａの消耗度合は、テーブル１１１Ａの回転積算時間Ｔｐに対応し易い。よって、レコード針１１２Ａの交換の目安となる基準値を設けておくことにより、ユーザは、取得した回転積算時間Ｔｐを基準値と比較するといった簡単な方法で交換の要否を判断できる。即ち、ユーザは、レコード針１１２Ａの消耗度合を、回転積算時間Ｔｐ（更新情報Ｓｐ）から推測できる。
【００４２】
更に、本実施形態では、回転積算時間Ｔｐを更新する際に、消耗スピードを決めるファクタに関する情報が考慮される。このため、レコード針１１２Ａの消耗度合と、テーブル１１１Ａの回転積算時間Ｔｐと、が精度良く対応する。よって、寿命を超えたレコード針１１２Ａを使用し続けることでレコード盤を傷付けてしまうといった不具合や、十分に使用可能なレコード針１１２Ａを無駄に交換してしまうといった不具合を解消できる。
【００４３】
＜リセット処理＞
図４は、管理処理のうちのリセット処理の流れを示したフローチャートである。管理処理が開始されると、リセット処理では、リセット処理部１２２Ｃがリセット信号を受信したか否かを判断する（図４のステップＳ２１）。リセット信号は、後述する様に、ネットワークを通じて外部端末２からレコード盤再生装置１に入力される。尚、リセット信号は、レコード盤再生装置１専用のリモートコントローラから入力されてもよいし、レコード盤再生装置１の本体１０に設けられた操作部（不図示）などから入力されてもよい。又、レコード盤再生装置１が、レコード針１１２Ａの交換を自動検知してリセット信号を生成し、そのリセット信号をリセット処理部１２２Ｃに入力してもよい。
【００４４】
リセット処理部１２２Ｃは、ステップＳ２１にて「受信した（Ｙｅｓ）」と判断できるまで、ステップＳ２１を繰り返し実行する。そして、リセット処理部１２２Ｃは、ステップＳ２１にて「受信した（Ｙｅｓ）」と判断した場合、記憶部１３に記憶されている回転積算時間Ｔｐ（更新情報Ｓｐ）をリセットして初期状態に戻す（図４のステップＳ２２）。ここで、初期状態は、例えば０時間である。
【００４５】
その後、リセット処理部１２２Ｃは、レコード盤再生装置１の電源がオフされるまで、ステップＳ２１からの処理を繰り返し実行する。尚、ステップＳ２２の後、ステップＳ２１に戻る前に、配信処理部１２２Ｂが、リセット後の回転積算時間Ｔｐを、ネットワーク通信部１５Ｂを介して外部に配信してもよい。
【００４６】
上記リセット処理によれば、レコード針１１２Ａの交換時（メンテナンス実行時）に回転積算時間Ｔｐ（更新情報Ｓｐ）をリセットすることが可能になる。これにより、回転積算時間Ｔｐが、交換後のレコード針１１２Ａ（メンテナンス後の音再生部１１）にだけ対応したものとなる。よって、ユーザは、リセットされた回転積算時間Ｔｐに基づいて、新しいレコード針１１２Ａの交換の要否（音再生部１１に対する次のメンテナンスの要否）を正しく判断できる。
【００４７】
［２］外部端末
［２−１］外部端末の構成
外部端末２は、例えばスマートフォンであり、表示部及び操作部の機能を兼ね備えたタッチパネル２１と、制御部２２と、記憶部２３と、ネットワーク通信部２４と、を備える。制御部２２は、例えばＣＰＵで構成されており、外部端末２が備える様々な動作部（タッチパネル２１、記憶部２３、ネットワーク通信部２４を含む）を制御する。具体的には、制御部２２は、記憶部２３に記憶されているアプリケーションプログラムを読み出して実行することにより、アプリケーションプログラムに従って各動作部を制御する処理部として機能する。尚、上記アプリケーションプログラムは、外部端末２内の記憶部２３に記憶される場合に限らず、外部の記憶媒体（フラッシュメモリなど）に読取り可能な状態で記憶されてもよい。
【００４８】
本実施形態において、アプリケーションプログラムは、外部端末２を、レコード盤再生装置１のリモートコントローラを兼ねたネットワークコントローラとして機能させるためのプログラムである。そして、アプリケーションプログラムに従って制御部２２で実現される処理部には、図１に示される様に、表示処理部２２１と出力処理部２２２とが含まれる。ここで、表示処理部２２１は、タッチパネル２１の表示を制御する（表示処理）。出力処理部２２２は、ネットワーク通信部２４から外部への各種信号の出力を制御する（出力処理）。尚、これらの処理の詳細については後述する。
【００４９】
［２−２］外部端末で実行される制御処理
次に、外部端末２で実行される制御処理である表示処理及び出力処理ついて説明する。尚、これらの処理は、アプリケーションプログラムの起動から終了まで間、継続して実行される。
【００５０】
＜表示処理＞
図５は、表示処理の流れを示したフローチャートである。表示処理が開始されると、表示処理部２２１が、回転積算時間Ｔｐ（更新情報Ｓｐ）を受信したか否かを判断する（図５のステップＳ３１）。そして、表示処理部２２１は、ステップＳ３１にて「受信した（Ｙｅｓ）」と判断できるまで、ステップＳ３１を繰り返し実行する。
【００５１】
その後、表示処理部２２１は、ステップＳ３１にて「受信した（Ｙｅｓ）」と判断した場合、受信した回転積算時間Ｔｐをタッチパネル２１に表示する（図５のステップＳ３２）。又、表示処理部２２１は、回転積算時間ＴｐをリセットするためのリセットボタンＢｒを選択可能な状態でタッチパネル２１に表示する。
【００５２】
外部端末２のタッチパネル２１に回転積算時間Ｔｐ（更新情報Ｓｐ）が表示されることにより、ユーザは、その回転積算時間Ｔｐに基づいて、レコード針１１２Ａの交換の要否（音再生部１１に対するメンテナンスの要否）を判断できる。即ち、ユーザは、ネットワークを通じて、音再生部１１に対するメンテナンスの要否を判断するための情報（更新情報Ｓｐ）を取得し、その情報に基づいてメンテナンスの要否を判断できる。
【００５３】
尚、回転積算時間Ｔｐが所定時間（レコード針１１２Ａの耐用時間など）に達した場合、タッチパネル２１には、レコード針１１２Ａの交換を促す情報が表示されてもよい。具体的には、制御部２２が、回転積算時間Ｔｐが所定時間に達したか否かを判断する。そして、制御部２２が「達した（Ｙｅｓ）」と判断した場合、表示処理部２２１が、上記情報をタッチパネル２１に表示する。この様な制御によれば、次の様な表示が可能になる。例えば、回転積算時間Ｔｐが、レコード針１１２Ａの耐用時間に達する一定時間前となった場合に、レコード針１１２Ａの交換をユーザに勧めるための情報を、タッチパネル２１に表示することができる。又、回転積算時間Ｔｐが、レコード針１１２Ａの耐用時間に達した場合（更には、耐用時間を過ぎた場合）に、レコード針１１２Ａを交換すべきことをユーザに警告するための情報を、タッチパネル２１に表示することができる。
【００５４】
この構成において、上記所定時間（レコード針１１２Ａの耐用時間など）は、外部端末２がレコード盤再生装置１から取得したもの（取得後、記憶部２３に記憶されたものを含む）であってもよいし、外部端末２においてユーザが入力したものであってもよい。又、上記所定時間は、外部端末２がネットワーク通信部２４を介して外部のネットワーク（サーバなどを含む）から取得したものであってもよい。更に、上記所定時間は、外部端末２においてユーザがレコード針１１２Ａの型番を入力することにより、その型番に基づいて外部端末２が外部のネットワーク（サーバなどを含む）から取得したものであってもよい。
【００５５】
＜出力処理＞
図６は、出力処理の流れを示したフローチャートである。出力処理が開始されると、出力処理部２２２が、リセットボタンＢｒが選択されたか否かを判断する（図６のステップＳ４１）。そして、出力処理部２２２は、ステップＳ４１にて「選択された（Ｙｅｓ）」と判断できるまで、ステップＳ４１を繰り返し実行する。
【００５６】
その後、出力処理部２２２は、ステップＳ４１にて「選択された（Ｙｅｓ）」と判断した場合、ユーザによるリセットボタンＢｒの選択操作（リセット操作）を受ける（図６のステップＳ４２）。そして、出力処理部２２２は、回転積算時間Ｔｐ（更新情報Ｓｐ）のリセットを指令するリセット信号を生成し、そのリセット信号をネットワーク通信部２４から外部へ出力する（図６のステップＳ４３）。
【００５７】
上記リセット信号がレコード盤再生装置１に入力されることにより、上述したリセット処理を通じて、レコード盤再生装置１の記憶部１３に記憶されている回転積算時間Ｔｐ（更新情報Ｓｐ）がリセットされて初期状態に戻る。よって、次にレコード盤再生装置１から回転積算時間Ｔｐが配信されたときに、外部端末２のタッチパネル２１に表示される回転積算時間Ｔｐにもリセットが反映される。
【００５８】
［３］変形例
［３−１］第１変形例
上記レコード盤再生装置１において、制御部１２（記憶処理部１２２Ａ）は、管理処理の実行時にステップＳ１５の補正処理を省略してもよい。この場合、ステップＳ１６の算出処理が次の様に変更される。即ち、制御部１２は、ステップＳ１１で読み出した回転積算時間Ｔｐに、ステップＳ１４で取得した回転時間ｔをそのまま積算することにより、新たな回転積算時間Ｔｐを算出する（Ｔｐ＝Ｔｐ＋ｔ）。
【００５９】
［３−２］第２変形例
上記レコード盤再生装置１が、ベルトを介して駆動部１１１Ｂの回転を間接的にテーブル１１１Ａに伝える方式のものである場合、メンテナンスの要否を判断する対象（交換の要否を判断する対象）を、レコード針１１２Ａに限らず、ベルトなど、音再生部１１における消耗品としてもよい。この場合も、ユーザは、更新情報Ｓｐである回転積算時間Ｔｐ又は回転積算数Ｆｐに基づいて、消耗品の交換の要否を判断できる。
【００６０】
又、上述した管理処理は、レコード盤再生装置１に限らず、音再生部を備える様々なオーディオ装置に適用できる。その様なオーディオ装置として、例えば、カセット再生装置やＣＤ再生装置などを挙げることができる。この場合、更新情報ＳｐとしてカセットやＣＤの再生時間を用いることができ、ユーザは、その更新情報Ｓｐに基づいて、読取りヘッドのクリーニングの要否を判断できる。
【００６１】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。
【符号の説明】
【００６２】
１  レコード盤再生装置
２  外部端末
ｆ  回転数
ｔ  回転時間
１０  本体
１１  音再生部
１２  制御部
１３  記憶部
１４  検出部
１５Ａ  入出力部
１５Ｂ  ネットワーク通信部
２１  タッチパネル
２２  制御部
２３  記憶部
２４  ネットワーク通信部
Ｂｒ  リセットボタン
Ｆｐ  回転積算数
Ｓｐ  更新情報
Ｔｐ  回転積算時間
ｔｃ  補正後の回転時間
１１１  レコード盤回転部
１１１Ａ  テーブル
１１１Ｂ  駆動部
１１２  カートリッジ
１１２Ａ  レコード針
１１３  アーム
１１４  バランスウェイト
１２１  音再生処理部
１２２  管理処理部
１２２Ａ  記憶処理部
１２２Ｂ  配信処理部
１２２Ｃ  リセット処理部
２２１  表示処理部
２２２  出力処理部
【図１】
2020022131.tif 000003
【図２】
2020022131.tif 000004
【図３】
2020022131.tif 000005
【図４】
2020022131.tif 000006
【図５】
2020022131.tif 000007
【図６】
2020022131.tif 000008